(57)【要約】【課題】ボールペンやシャープペンとして使用することができるとともに金融機関・行政機関等で正式な印鑑として認められている通常の市販等の印鑑と朱肉を軸内に収容することにより何処の場所でも書類への記入と押印ができ、かつコンパクトに携帯する。【解決手段】本考案では筆記具を内蔵した下軸（３）と、該下軸（３）の上部に回転自在に接続した、該下軸を回転させることによって前記筆記具が前記下軸（３）の軸先（８）から繰り出すように構成した軸接合部（４）と該軸接合部（４）の上部に取り付けた上端に朱肉（１５）を収容する朱肉収容部（９）を設け前記軸接合部（４）で着脱自在に嵌り合い、印鑑（１４）が収納出来る空間を内側に備えた上軸（６）と前記上軸（６）の上端部に着脱自在なキャップ（７）とからなるものである。【選択図】図３
0003108669.tif 000002
【実用新案登録請求の範囲】
【請求項１】
ボールペンまたはシャープペンシルの単独筆記具、およびボールペン芯またはシャープペンシル軸等の筆記具を選択的に使用することができる複合筆記具の軸内に朱肉の収容部と市販等の印鑑が収納できる空間を設けて、前記軸の上端部に着脱自在なキャップとからなることを特徴とする複合筆記具
【請求項２】
筆記具を内蔵した下軸（３）と、該下軸（３）の上部に回転自在に接続した、該下軸を回転させることによって前記筆記具が前記下軸（３）の軸先（８）から繰り出すように構成した軸接合部（４）と該軸接合部（４）の上部に取り付けた上端に朱肉（朱肉液をスポンジ・ウレタン等にしみ込ませたものを含む）（１５）が収容できる朱肉収容部（９）を設け前記軸接合部（４）で着脱自在に嵌り合い、市販等の印鑑（１４）が収納出来る空間を内側に備えた上軸（６）と前記上軸（６）の上端部に着脱自在なキャップ（７）とからなることを特徴とする複合筆記具
【考案の詳細な説明】
【技術分野】
【０００１】  本考案はボールペンまたはシャープペンシルの単独筆記具、およびボールペン芯またはシャープペンシル軸等の筆記具を選択的に使用することができる複合筆記具に係わり軸内に朱肉と市販等の印鑑が入る収納部を設けた複合筆記具に関するものである。
【背景技術】
【０００２】  従来よりボールペンまたはシャープペンシルの単独筆記具、およびボールペン芯またはシャープペンシル軸等の筆記具を選択的に使用することができる複合筆記具の上端部等に浸透印を備えたものは提供されている。
【考案の開示】
【考案が解決しようとする課題】
【０００３】  上記従来の浸透印を備えた筆記具では金融機関・行政機関等においては浸透印が正式な印鑑として認められていないため使用場所に制限があった。
従って金融機関・行政機関等で手続きをする際は浸透印ではない通常の印鑑を別に用意する必要があり不便であった。
【課題を解決するための手段】
【０００４】  本考案では、通常の印鑑と朱肉を筆記具の軸内に収納が可能になることで現在、浸透印では正式な印鑑として認めていない金融機関・行政機関等で使用ができるので何処の場所でも、この１本でコンパクトに携帯できる。
【考案の効果】
【０００５】  上述したように本考案筆記具はボールペンまたはシャープペンとしての筆記具と同時に軸内に通常の印鑑と朱肉を収納することにより今まで浸透印では使用に制限があった金融機関・行政機関等あらゆる場所で使用できるようになる。押印の際は上軸内に収納されている印鑑をそのまま取り出して書面にすぐに押印することができる。また、押印が終了したら印鑑は上軸内に収納するので容易に携帯することができる。【０００６】  また、朱肉の補充は下軸から上軸を外すことにより容易に行うことができボールペン芯やシャープペンシル軸も新しいリフィルに交換できるので長期にわたり使用することができる優れた効果がある。
【考案を実施するための最良の形態】
【０００７】  本考案では筆記具を内蔵した下軸（３）と、該下軸（３）の上部に回転自在に接続した、該下軸を回転させることによって前記筆記具が前記下軸（３）の軸先（８）から繰り出すように構成した軸接合部（４）と該軸接合部（４）の上部に取り付けた上端に朱肉「朱肉液をスポンジ・ウレタン等にしみ込ませたものを含む」（１５）を収容する朱肉収容部（９）を設け前記軸接合部（４）で着脱自在に嵌り合い、印鑑（１４）が収納出来る空間を内側に備えた上軸（６）と前記上軸（６）の上端部に着脱自在なキャップ（７）とからなることを特徴とする複合筆記具が提供される。【０００８】  上記考案の構成では上軸（６）を回転させると、同時に回転する軸接合部（４）によって筆記具のボールペン芯（１）またはシャープペンシル軸（２）を下軸（３）の軸先（８）から繰り出す。
この上軸（６）を逆回転させるとボールペン芯（１）又はシャープペンシル軸（２）は下軸（３）内に戻され収納される。【０００９】  一方、印鑑（１４）の収納は朱肉収容部（９）に朱肉「朱肉液をスポンジ・ウレタン等にしみ込ませたものを含む」（１５）が収容されているため、印鑑（１４）の印面を下にして上軸（６）の内側に入れてキャップ（７）をつけて完了する。
印鑑（１４）を使用する際はキャップ（７）を外して印鑑（１４）を取り出す。
またキャップ（７）の底から朱肉（１５）までの距離を印鑑（１４）の長さに合わせて、印面に朱肉（１５）が常についた状態に調節することによって、そのまま印鑑（１４）を取り出してすぐに書面に押印することができる。
また、朱肉（１５）の補充・交換は朱肉収容部（９）を軸接合部（４）の上端に設けているため、上軸（６）を外すことにより容易にできる。
【図面の簡単な説明】
【図１】本考案の複合筆記具の全体を示すものであり、（ａ）は正面図、（ｂ）は平面図である。
【図２】（ａ）は上軸を外した状態の正面図、（ｂ）は上軸の正断面図である。
【図３】上軸に印鑑と朱肉を収納した状態を示すものであり、上軸は断面図である。
【符号の説明】
１    ボールペン芯（筆記具）
２    シャープペンシル軸（筆記具）
３    下軸
４    軸接合部
５    クリップ
６    上軸
７    キャップ
８    軸先
９    朱肉収容部
１０  抜け止めリブ
１１  抜け止め溝
１２  内壁滑り止めローレット
１３  滑り止めローレット
１４  印鑑
１５  朱肉
【図１】
0003108669.tif 000003
【図２】
0003108669.tif 000004
【図３】
0003108669.tif 000005
【手続補正書】
【提出日】平成16年11月29日(2004.11.29)
【手続補正１】
【補正対象書類名】実用新案登録請求の範囲
【補正対象項目名】全文
【補正方法】変更
【補正の内容】
【実用新案登録請求の範囲】
【請求項１】
ボールペンまたはシャープペンシルの単独筆記具、およびボールペン芯またはシャープペンシル軸等の筆記具を選択的に使用することができる複合筆記具の軸内に朱肉の収容部と認め印・実印等の印鑑が収納できる空間を設けて、前記軸の上端部に着脱自在なキャップとからなることを特徴とする複合筆記具
【請求項２】
筆記具を内蔵した下軸（３）と、該下軸（３）の上部に回転自在に接続した、該下軸を回転させることによって、前記筆記具が前記下軸（３）の軸先（８）から繰り出すように構成した軸接合部（４）と該軸接合部（４）の上部に取り付けた上端に朱肉やスポンジ・ウレタン等に朱肉液を染み込ませたもの（１５）が収容できる朱肉収容部（９）を設け、前記軸接合部（４）で着脱自在に嵌り合い、認め印・実印等の印鑑（１４）が収納出来る空間を内側に備えた上軸（６）と前記上軸（６）の上端部に着脱自在なキャップ（７）とからなることを特徴とする複合筆記具
【手続補正２】
【補正対象書類名】明細書
【補正対象項目名】０００１
【補正方法】変更
【補正の内容】
【０００１】  本考案はボールペンまたはシャープペンシルの単独筆記具、およびボールペン芯またはシャープペンシル軸等の筆記具を選択的に使用することができる複合筆記具に係わり軸内に朱肉と認め印・実印等の印鑑が入る収納部を設けた複合筆記具に関するものである。